(57)【要約】  本発明は、現行の粉砕機に対する改善であり、特に、粉砕機の保護要素が製造される材料において、実質的に経済効果を高める一方で、粉砕機の動作コストを、大幅に減少させることを可能とする。本発明の主題は、材料粉砕機、特に、金属屑の粉砕機のロータ用の保護ブロックであり、この保護ブロックは、着脱可能または着脱不能に固定される第１の固定手段を内面に有する、第１の部材または外装プレートと、第１の部材から独立し、第２の固定手段を形成する、第２の部材とを備える。【選択図】図２ａ
2013518709.tif 000002
【特許請求の範囲】
【請求項１】
材料粉砕機のロータ用、特に、金属屑粉砕機のロータ用の保護ブロックであって、
着脱可能または着脱不能に固定された第１の固定手段（２．３）を内面に有する、第１の部材または外装プレート（２．２）と、
前記第１の部材から独立し、第２の固定手段（２．４）を形成する、第２の部材と、を備える、保護ブロック。
【請求項２】
前記外装プレート（２．２）は、その正射影において、例えば長方形、正方形、ダイヤモンド形のような、平行四辺形の形状を有することを特徴とする、請求項１に記載の保護ブロック。
【請求項３】
前記第１の固定手段（２．３）は、４つの独立した部材からなり、前記外装プレート（２．２）に、該外装プレート（２．２）のそれぞれの端部において、着脱可能または着脱不能な方法で固定されるために、一対となって位置決めされることを特徴とする、請求項１または２に記載の保護ブロック。
【請求項４】
前記外装プレート（２．２）のそれぞれの端部において、前記第１の固定手段（２．３）を形成する２つの部材は、前記外装プレート（２．２）の長手方向の軸に沿って互いに平行となるように位置決めされ、前記２つの部材の間において、前記第２の固定手段（２．４）を受け入れるのに十分なスペースを形成することを特徴とする、請求項３に記載の保護ブロック。
【請求項５】
前記第１の固定手段（２．３）を形成する部材の各々は、実質的に、直角三角形、正方形、または長方形の形状を有し、その一方側部が、該一方側部を前記外装プレート（２．２）の内面の曲率に適合可能とする曲率を有することを特徴とする、請求項３または４に記載の保護ブロック。
【請求項６】
前記第１の固定手段（２．３）を形成する部材の各々は、少なくとも１つの孔を有し、
前記少なくとも１つの孔は、前記第２の固定手段（２．４）に設けられた同様の孔と同じ高さに位置決めされ、前記外装プレートと前記第２の固定手段の組み立て体を固定可能なシャフトを受け入れることを特徴とする、請求項３〜５のいずれか１項に記載の保護ブロック。
【請求項７】
前記外装プレートと前記第１の固定手段の組み立て体は、ブロックに１つの同じ鋳物部材、または単体部材を構成し、
前記第１の固定手段（２．３）を形成する部材は、前記外装プレート（２．２）の内面上に溶接されることを特徴とする、請求項３〜６のいずれか１項に記載の保護ブロック。
【請求項８】
前記第２の固定手段（２．４）は、側方視において実質ダイヤモンド状であり、その最大幅部において、第１の孔を有し、
前記第１の孔は、一方側から他方側まで前記第２の固定手段（２．４）を直交して貫通し、前記第２の固定手段（２．４）を前記粉砕機のロータのディスクに固定可能なシャフトを受け入れることができることを特徴とする、請求項３〜７のいずれか１項に記載の保護ブロック。
【請求項９】
前記第２の固定手段（２．４）は、その端部の各々において、少なくとも１つの第２の孔を有し、
前記第２の孔は、一方側から他方側まで前記第２の固定手段（２．４）を直交して貫通し、前記第２の固定手段（２．４）を、前記第２の固定手段（２．４）を介して前記外装プレート（２．２）に固定可能なシャフトを受け入れることができることを特徴とする、請求項３〜８のいずれか１項に記載の保護ブロック。
【請求項１０】
前記第２の固定手段（２．４）は、その中央部において、前記第１の孔の周囲に、前記ロータの２つの分離したディスク間の距離に実質等しい厚みを有し、
前記２つの分離したディスクの間において、前記第２の固定手段（２．４）は挿入され、
前記第２の固定手段（２．４）は、その端部の位置において、前記第２の固定手段（２．４）と前記ロータのディスクとの間にスペースを形成するために、前記中央部の厚みよりも小さな厚みを有し、
前記第２の固定手段（２．４）と前記ロータのディスクとの間のスペースによって、前記第１の固定手段（２．３）を、前記ロータの２つのディスクの間に挿入することが可能となることを特徴とする、請求項３〜９のいずれか１項に記載の保護ブロック。
【請求項１１】
端部における前記第２の固定手段（２．４）の厚みは、前記ロータの２つのディスクの間に位置するスペースの寸法の１／３に相当することを特徴とする、請求項１０に記載の保護ブロック。
【請求項１２】
前記第１の固定手段（２．３）の部材の各々と、前記第２の固定手段（２．４）は、同一の厚みを有し、
前記同一の厚みは、前記ロータの２つのディスクの間に形成されたスペースの寸法の１／３に相当し、
前記第１の固定手段（２．３）の部材の各々と、前記第２の固定手段（２．４）は、前記ロータの２つのディスクの間に挿入されることを特徴とする、請求項３〜１１のいずれか１項に記載の保護ブロック。
【請求項１３】
前記外装プレート（２．２）は、２つの部材から形成された第１の固定手段（２．３）を有し、
前記２つの部材の各々は、前記外装プレート（２．２）の内面の一端部に位置決めされることを特徴とする、請求項１または２に記載の保護ブロック。
【請求項１４】
前記第１の固定手段（２．３）を形成する部材の各々は、実質的に、直角三角形、正方形、または長方形の形状を有し、前記部材の一方側部が、該一方側部を前記外装プレート（２．２）の内面の曲率に適合可能とする曲率を有することを特徴とする、請求項１３に記載の保護ブロック。
【請求項１５】
前記第１の固定手段（２．３）を形成する部材の各々は、前記外装プレート（２．２）の内面の一端部に位置決めされることを特徴とする、請求項１４に記載の保護ブロック。
【請求項１６】
前記第１の固定手段（２．３）を形成する部材の各々は、少なくとも１つの孔を有し、
前記少なくとも１つの孔は、前記第２の固定手段（２．４）に設けられた同様の孔と同じ高さに位置決めされ、前記外装プレートと前記第２の固定手段の組み立て体を固定可能なシャフトを受け入れることを特徴とする、請求項１３〜１５のいずれか１項に記載の保護ブロック。
【請求項１７】
前記外装プレートと前記第１の固定手段の組み立て体は、ブロックに１つの同じ鋳物部材、または単体部材を構成し、
前記第１の固定手段（２．３）を形成する部材は、前記外装プレート（２．２）の内面上に溶接されることを特徴とする、請求項１３〜１６のいずれか１項に記載の保護ブロック。
【請求項１８】
前記第２の固定手段（２．４）は、側方視において実質ダイヤモンド状である２つの部材の組み合わせによって形成され、その最大幅部において、第１の孔を有し、
前記第１の孔は、一方側から他方側まで前記第２の固定手段（２．４）を直交して貫通し、前記第２の固定手段（２．４）を前記粉砕機のロータのディスクに固定可能なシャフトを受け入れることができることを特徴とする、請求項１３〜１７のいずれか１項に記載の保護ブロック。
【請求項１９】
前記第２の固定手段（２．４）を形成する２つの部材は、互いに平行となるように位置決めされ、該２つの部材の間に、前記第１の固定手段（２．３）を形成する部材を受け入れるスペースを形成することを特徴とする、請求項１８に記載の保護ブロック。
【請求項２０】
前記第２の固定手段（２．４）を形成する２つの部材は、その中央部において、スペーサによって互いに連結されることを特徴とする、請求項１９に記載の保護ブロック。
【請求項２１】
前記第２の固定手段（２．４）は、単体部材、２つの独立した部材、または３つの独立した部材として形成されることを特徴とする、請求項２０に記載の保護ブロック。
【請求項２２】
前記外装プレート（２．２）と、前記第２の固定手段（２．４）とは、簡単なホゾおよびホゾ穴の連結を用いて、互いに固定されることを特徴とする、請求項１または２に記載の保護ブロック。
【請求項２３】
前記外装プレート（２．２）、前記第１の固定手段（２．３）、および前記第２の固定手段（２．４）は、同じ材料、または異なる材料から製造され、好ましくは同じ材料から製造されることを特徴とする、請求項１〜２２のいずれか１項に記載の保護ブロック。
【請求項２４】
前記材料は、鋳造マンガン鋼、クロムバナジウム鋼、または、ＨＡＲＤＯＸ（登録商標、Ｓｗｅｄｉｓｈ  Ｓｔｅｅｌ（スウェーデン国））、ＣＲＥＵＳＡＢＯ（登録商標）、もしくはそれと同等物（ＡＲＣＥＬＯＲ（フランス国））の耐磨耗溶接機械鋼から選択されることを特徴とする、請求項２３に記載の保護ブロック。
【請求項２５】
請求項１〜２４のいずれか１項に記載の保護ブロックを少なくとも１つ備える、材料粉砕機、好ましくは金属屑の粉砕機のロータの保護外装。
【請求項２６】
材料粉砕機、好ましくは金属屑の粉砕機のロータ用の保護外装を製造するための、少なくとも１つの、請求項１〜２４のいずれか１項に記載の保護ブロックの使用方法。
【請求項２７】
請求項１〜２４のいずれか１項に記載の保護ブロックを少なくとも１つ有する、ロータの保護外装を備える、材料粉砕機、特に、金属屑の粉砕機。
【発明の詳細な説明】
【技術分野】
【０００１】
本発明は、産業用粉砕機の機械器具の分野に関するものであって、特に、非限定的に金属屑の粉砕機に関する。本発明は、事実上、現行の粉砕機に対する改善であり、特に、ロータの保護要素が作製される材料を実質的に削減可能とすることによって、粉砕機の動作コストを、大幅に減少させることを可能とする。この改善によって、さらに、ロータの保護要素を構成する交換可能な部材を、容易に取り扱うことが可能となる。
【背景技術】
【０００２】
一般的に、現行の粉砕機（図１を参照のこと）、特に、金属屑の粉砕機は、内部主ケース（１）によって構成され、該内部主ケース（１）の内部において、ロータ（２）が、電動モータによって駆動されて回転する。このロータは、その周縁上において、ハンマー（３）を有しており、該ハンマー（３）は、ケースに固定されたアンビル（４）の端部と協働するのに適している。ケーシングは、耐性を有する外装プレート（５）によって覆われた内壁を有する。
【０００３】
粉砕される材料（７）は、概してロータの近くに配置された開口（６）を通して、ケース内に導入される。一般的に、粉砕される材料は、粉砕機に連続的な方法で供給するコンベアベルトによって、粉砕機まで運ばれる。
【０００４】
粉砕される材料は、ロータの回転によって運ばれ、ロータのハンマーと、アンビルとの間で粉砕される。そして、材料の粉砕片は、ケースの壁上を供給開口の反対側部まで、接線方向に引き摺られ、次いでケースの上部に放り込まれる。ここで、ケースの上部は、ロータの上方に配置されたグリッド（８）を有し、該グリッド（８）のメッシュ寸法は、出口における製造物の粒子サイズを決定するように定められる。グリッドのメッシュ寸法によって定められる、所望の粒子サイズに達した材料の粉砕片のみが、放出され得る。
【０００５】
上記ロータは、一般的に、１以上のシャフト上に平行に設置された一連のディスク（例えば、１３個までの範囲となり得る）によって構成される。材料を粉砕可能なハンマー（ロータおよび粉砕機のサイズに拠って、一般的には１２〜２６個の間で個数が変動する）は、この組み立て体に固定される。しかしながら、ハンマーは、ロータを構成するディスクの端部全体を覆うものではない。それ故に、ディスクと、特にその端部とを保護するために、外装を設けることが必要となる。これは、一連の保護ブロックを追加することによって、達成される。この保護ブロックは、外装（この語の一般的な意味において）を構成し、該外装は、ロータに固定され、ロータの周縁上に位置決めされる。この外装の存在により、ディスク、およびディスクの端部は、粉砕される材料と接触することはない。したがって、ロータの外装は、組み立て体を構成する複数の部材（保護ブロック、または「キャップ」）によって構成されることがわかる。
【０００６】
本発明は、上記した保護ブロックまたは外装ブロックに関するものである。
【発明の概要】
【発明が解決しようとする課題】
【０００７】
これまで、上記保護ブロックは、機能性と適合する如何なる材料、有利には鉄製の、単体ユニットとして作製された。そして、保護ブロックは、ロータに安定して固定され、保護ブロックの各々は、所定の厚みを有する、長方形の金属プレートの形態としての外装プレートを含む。また、外装プレートは、その長手方向に沿う円弧として形成され、その半径は、保護ブロックが保護すべきロータのディスクの外径に一致する。ロータのディスクに対する外装プレートの固定手段は、外装プレートに対して、着脱不能な方法で固定される。保護ブロック（外装プレートと固定手段）の各々は、単体の鋳造部材、または溶接によって互いに接着された２つの部材であり得る。
【０００８】
これらの単体部材は、重量が重く、これにより、これら単体部材を取り扱うのが困難となり、且つ、これら単体部材は、製造のために大量の原材料を伴うことになるので、コストも掛かってしまう。例として、粉砕機に関して、該粉砕機のロータは、１３５０ｍｍの直径を有し、このような部材は、８０〜１２０ｋｇ、または、時にはそれ以上の重量となり得る。
【０００９】
さらに、これら部材が用いられる粉砕機の動作方法により、外装プレートは、粉砕機内において材料を粉砕する間に、磨耗してしまう。したがって、これら部材の定期的な交換が必要となる。したがって、重量を別として、これら部材の単体構成により、一旦外装部材が磨耗してしまった場合は、単体部材の全体（すなわち、保護ブロック全体）を交換する必要がある。このように、主にロータへの取り付け手段を構成する上記部材の大部分が無傷である一方、保護ブロックの全体が廃棄されてしまうことが、理解されよう。したがって、外装が変更される度に、大量の原材料がこのように不必要に処分されることになる。
【００１０】
文献ＵＳ５，１６９，０７７Ａ号公報（Ｓｔｅｌｋ  Ｊｏｈｎ  Ｃ（米国））は、ハンマーミルの各アームの端部に設けられた、ハンマー用の着脱可能な端部を開示している。この文献は、外装の機能を担う部分と、固定手段とによって構成された保護キャップを記載している。ここで、上記固定手段は、上記外装に固定される。この構成においては、外装を交換するのに、固定手段が磨耗していないのに、外装に固定された固定手段を交換することを要する。
【課題を解決するための手段】
【００１１】
本発明の目的は、上記保護ブロックの取り扱いをより経済的且つ容易とすることである。広範な試験の後に、出願人は、２つの独立した部材（外装プレートと、ロータのディスクに対する外装プレートの固定手段）を有する保護ブロックを用いることが可能であることを発見した。そして、これら２つの部材は、使用時においてのみ、互いに連結される。外装プレートは、粉砕される材料と接触する部材であり、これにより、粉砕機の使用の間に損傷を受ける。固定手段は、粉砕される材料と接触しないので、重大な損傷を受けることはなく、損傷を受けた外装プレートから取り外された後に、次いで新しい外装プレートに固定可能であり、再利用することができる。このように、本発明によれば、上記保護ブロックは、単体部材ではない。
【００１２】
出願人は、さらに以下のことも発見した。すなわち、該ブロックが単体部材の形態ではなく、使用時に互いに連結される２つの独立した部材から構成されている場合、保護ブロックの強度は、影響を受けない。
【００１３】
このように、本発明の主題は、材料粉砕機、特に、金属屑の粉砕機のロータ用の保護ブロックであり、この保護ブロックは、
−着脱可能または着脱不能に固定された第１の固定手段を内面に有する、第１の部材または外装プレートと、
−第１の部材から独立し、第２の固定手段を形成する、第２の部材とを備える。
【００１４】
本発明によれば、第１の固定手段は、外装プレートを第２の固定手段に固定するように構成され、該第２の固定手段は、外装プレートを粉砕機のロータに固定するように構成されている。
【００１５】
本発明によれば、外装プレートは、その正射影において、その機能性に適合する如何なる形状、例えば長方形、正方形、ダイヤモンド形のような、平行四辺形の形状を有してもよい。有利には、本発明によれば、外装プレートは、正方形の形状を有する。
【００１６】
また、本発明によれば、外装プレートは、その側方射影において、その機能性に適合する如何なる形状、特に、自らが保護すべきロータの形状に適合する形状を有してもよい。有利には、外装プレートは、その長手方向に沿って、円弧の形状を有し、その半径は、自らが保護すべきロータのディスクの外径に一致する。
【００１７】
また、本発明によれば、外装プレートは、その機能性に適合する如何なる厚みを有してもよい。当業者であれば、厚みを要求に応じて適応させることに困難性はない。有利には、本発明によれば、外装プレートは、１０〜１００ｍｍの範囲、好ましくは４０〜６０ｍｍの範囲の厚みを有してもよい。
【００１８】
本発明によれば、第１および第２の固定手段は、これらの機能性に適合する全ての形状を採用し得る。
【００１９】
したがって、本発明の第１の実施形態によれば、第１の固定手段は、４つの独立した部材からなり、外装プレートに、該外装プレートのそれぞれの端部において、着脱可能または着脱不能な方法で固定されるために、一対となって位置決めされ得る。
【００２０】
本発明によれば、外装プレートのそれぞれの端部において、第１の固定手段を形成する２つの部材は、外装プレートの長手方向の軸に沿って互いに平行となるように位置決めされ、これにより、２つの部材の間において、第２の固定手段を受け入れるのに十分なスペースを形成する。
【００２１】
本発明のこの実施形態によれば、第１の固定手段を形成する部材の各々は、その機能性に適合する如何なる形状を有してもよい。有利には、側方視において、これら部材は、直角三角形の形状と実質同等である形状を有し、その斜辺が、該斜辺を外装プレートの内面の曲率に適合可能とする曲率を有してもよい。しかしながら、これら部材は、正方形または長方形の形状を随意に有してもよい。この場合、その一方側部は、該一方側部を外装プレートの内面の曲率に適合可能とする曲率を有する。
【００２２】
本発明によれば、上記部材の各々は、少なくとも１つの孔を有し、該少なくとも１つの孔は、第２の固定手段に設けられた同様の孔と同じ高さに位置決めされ、且つ、外装プレートと第２の固定手段の組み立て体を固定可能なシャフトを受け入れるように構成される。
【００２３】
また、本発明のこの実施形態によれば、外装プレートと第１の固定手段の組み立て体は、ブロックに１つの同じ鋳物部材、または単体部材を構成し、第１の固定手段を形成する部材は、外装プレートの内面上に溶接されてもよい。
【００２４】
本発明の変形例によれば、第１の固定手段を形成する部材は、例えばネジ止め、ボルト止め、インターロック、またはスライドでの取り付けといった、如何なる適当な手段によって、着脱可能な方法で外装プレート上に固定されてもよい。
【００２５】
本発明の他の変形例によれば、第１の固定手段を形成する部材は、例えば溶接のような着脱不能な方法で、外装プレート上に固定されてもよい。
【００２６】
より好ましくは、外装プレートと、第１の固定手段を形成する部材とは、単体部材としての鋳造（鍛造）部材であり、これは、粉砕の間に発生する衝撃に対する、組み立て体のより良好な耐性を保証するという利点を有する。
【００２７】
また、この実施形態によれば、第１の固定手段を形成する部材は、その機能性に適合する如何なる材料であってもよく、有利には、これら部材は、外装プレートと同じ材料である。
【００２８】
同様に、これら部材は、その機能性に適合する如何なる厚みを有してもよい。しかしながら、一旦、第２の固定手段に固定されるので、第１の固定手段の２つの部材と、第２の固定手段の部材から（外装プレートのそれぞれの端部において）構成された組み立て体は、粉砕機のロータの２つのディスク間に形成されたスペース内に挿入可能である必要がある。当業者であれば、それぞれの部材に関して、組み立て体が提供すべき強度と適合する厚みを維持しつつ、組み立て体が、少なくとも上記スペースの寸法に等しい厚みを有するように、第１の固定手段および第２の固定手段の部材の双方の厚みを調整することが、容易に理解されよう。有利には、本発明によれば、第１の固定手段および第２の固定手段の部材の各々は、同一の厚みを有し、該同一の厚みは、ロータの２つのディスクの間に形成されたスペースの寸法の１／３に相当する。
【００２９】
本発明の第１の実施形態によれば、第２の固定手段は、その機能性に適合する全ての形状を採用し得る。この場合、一方では、第２の固定手段は外装プレートに固定され、他方では、第２の固定手段はロータに固定され得る。
【００３０】
有利には、第２の固定手段は、側方視において実質ダイヤモンド状であり、その最大幅部において、第１の孔を有する。この第１の孔は、一方側から他方側まで第２の固定手段を直交して貫通し、第２の固定手段を粉砕機のロータのディスクに固定可能なシャフトを受け入れることができる。
【００３１】
上記第２の固定手段は、外装プレートに固定可能であるので、その端部の各々において、少なくとも１つの第２の孔をさらに有し得る。この第２の孔は、一方側から他方側まで第２の固定手段を直交して貫通し、第２の固定手段を、第２の固定手段を介して外装プレートに固定可能なシャフトを受け入れることができる。
【００３２】
本発明によれば、当業者であれば、それぞれの孔の直径を、使用が求められるシャフトの直径の機能として適応させることに、困難性はない。ここで、シャフトの直径は、適切な強度を提供するのに十分である必要がある。
【００３３】
本発明によれば、一方では、第２の固定手段が、粉砕機のロータの２つのディスク間に挿入可能となるように、第２の固定手段の厚みが設けられてもよい。したがって、２つのディスク間における上記固定手段の側方への遊びが最小となるように、その厚みは、少なくとも第２の固定手段の一部に亘って、ロータの２つの分離したディスク間の内部スペースの寸法に適合する必要がある。しかしながら、それと同時に、第２の固定手段は、外装プレートを第２の固定手段に固定するために、その端部において、第１の固定手段を受け入れ可能である必要がある。したがって、本発明のこの実施形態においては、第２の固定手段は、それぞれの端部において、第１の固定手段を形成する２つの部材間に形成されるスペースに少なくとも等しい厚みを有する。
【００３４】
したがって、本発明によれば、第２の固定手段は、その中央部において、第１の孔の周囲に、ロータの２つの分離したディスク間の距離に実質等しい厚みを有する。２つの分離したディスクの間において、第２の固定手段は挿入され、第２の固定手段は、その端部の位置において、第２の固定手段とロータのディスクとの間にスペースを形成するために、上記中央部の厚みよりも小さな厚みを有する。このスペースによって、第１の固定手段を、ロータの２つのディスクの間に挿入することが十分に可能となる。有利には、本発明によれば、端部における第２の固定手段の厚みは、２つのディスクの間に位置するスペースの寸法の１／３に相当する。
【００３５】
さらに有利には、本発明の第１の実施形態によれば、第１の固定手段および第２の固定手段の部材の各々は、同一の厚みを有し、該同一の厚みは、ロータの２つのディスクの間に形成されたスペースの寸法の１／３に相当する。第１の固定手段および第２の固定手段の部材の各々は、ロータの２つのディスクの間に挿入されるべきものである。
【００３６】
本発明の第２の実施形態によれば、第１の固定手段および第２の固定手段は、第１の実施形態のものと反対の構成を有し得る。
【００３７】
したがって、第１の実施形態においては、外装プレートが、その内面上に、第１の固定手段を形成する一対の部材を２組有し、第２の固定手段が、単体部材であったが、これとは逆に、本発明の第２の実施形態においては、外装プレートは、２つの部材（有利には、本発明の第１の実施形態に記載された第１の固定手段を形成する部材と同じ）から形成された第１の固定手段のみを有してもよい。ここで、それぞれの部材は、外装プレートの内面の一方の端部に位置決めされ、第２の固定手段は、２つの部材（有利には、本発明の第１の実施形態に記載された第２の固定手段を形成する部材と同じ）の組み合わせによって形成される。第２の固定手段の２つの部材は、互いに平行となるように位置決めされ、該２つの部材の間に、第１の固定手段を形成する部材を受け入れるように構成されたスペースを形成する。
【００３８】
有利には、必須ではないが、第２の固定手段を形成する２つの部材は、その中央部において、スペーサによって互いに連結される。このスペーサは、上記２つの部材間のスペースの寸法を設定する。このスペーサは、上記２つの部材に、着脱不能に固定されてもよい（または、固定されなくてもよい）。さらに、スペーサは、上記２つの部材のうちの一方のみに、着脱不能に固定されることも考えられる。したがって、第２の固定手段は、１つの単体ユニット、２つの独立した部材、または、または３つの独立した部材として形成されてもよい。
【００３９】
この第２の実施形態によれば、スペーサが、上記２つの部材に着脱不能に固定される場合、第２の固定手段は、単体の鋳造体、または溶接部材であってもよい。また、スペーサが、上記２つの部材のうちの一方のみに着脱不能に固定される場合、この組み立て体は、単体の溶接体、または鋳造部材であってもよい。
【００４０】
この第２の実施形態においては、第１および第２の固定手段を形成する部材は、本発明の第１の実施形態の第１および第２の固定手段を形成する部材と同じであてもよいことが容易に理解されよう。この場合、第１の実施形態において、２組の部材対が、第１の固定手段を形成するために用いられた一方、第２の実施形態においては、２つの部材のみ設けられており、また、第１の実施形態において、１つの部材のみが、第２の固定手段を形成するために用いられた一方、第２の実施形態においては、２つの部材が設けられていることを理解されたい。
【００４１】
この実施形態においては、外装プレートと第２の固定手段の組み立ての間、第１の固定手段を形成する部材が、第２の固定手段を形成する部材の間に嵌め込まれていることを、容易に理解されよう。このため、この第２の実施形態によれば、第１の実施形態を形成する部材の厚みは、第２の固定手段の２つの部材間に形成されたスペースの寸法に少なくとも等しい。
【００４２】
引き続き、本発明の第２の実施形態によれば、外装プレートは、第１の固定手段および第２の固定手段とシャフトを介して固定され得る。ここで、このシャフトは、この目的のために上記固定手段に設けられた孔内において、第１および第２の固定手段に直交して配置される。同様に、外装プレートと第２の固定手段の組み立て体は、シャフトによってロータに固定される。このシャフトは、第２の固定手段の中央部にこの目的のために設けられた孔内において、第２の固定手段を形成する部材に直交して貫通する。
【００４３】
本発明の他の実施形態によれば、外装プレートと第２の固定手段とは、簡単なホゾおよびホゾ穴の連結を用いて、互いに固定される。したがって、外装プレートは、その内面上に、可能であるいずれかの形状を有する、少なくとも１つのホゾを有することができる。且つ、第２の固定手段は、外装プレートと接触することになる端部上において、上記ホゾの輪郭に対応する輪郭を有する、少なくとも１つのホゾ穴を有することができる。有利には、ホゾおよびホゾ穴は、例えば部材の鋳造の間のような、部材の製造時に、形成される。この第３の実施形態においては、外装プレートと第２の固定手段の組み立ては、ホゾがホゾ穴の位置に収まるように、一方の部材を他方の部材にスライドさせることによって行われ得る。
【００４４】
本発明の実施形態に関わらず、外装プレートと、第１および第２の固定手段は、これら部材の意図する使用に適した、如何なる材料によって作製されてもよい。本発明によれば、これら部材は、同じ材料、または異なる材料によって作製されてもよい。有利には、これら部材は、同じ材料によって作製される。
【００４５】
本発明によれば、外装プレートと、第１および第２の固定手段は、鋳造マンガン鋼、クロムバナジウム鋼、または、ＨＡＲＤＯＸ（登録商標、Ｓｗｅｄｉｓｈ  Ｓｔｅｅｌ（スウェーデン国））、ＣＲＥＵＳＡＢＯ（登録商標）、もしくはそれと同等物（ＡＲＣＥＬＯＲ（フランス国））の耐磨耗溶接機械鋼から作製される。
【００４６】
本発明によれば、ピンを受け入れるように構成された孔は、如何なる公知の形状を採用してもよい。この孔は、円形、正方形、長方形、三角形、または楕円形の形状を有してもよい。好ましくは、この孔は、円形の形状を有する。
【００４７】
本発明によれば、上記孔の寸法は、用いられるシャフトまたはピンのサイズによって規定される。当業者であれば、困難を伴うことなく、この寸法を、意図する目的に適応させることができる。
【００４８】
また、本発明の主題は、本発明に係る保護ブロックを少なくとも１つ備える、材料粉砕機、好ましくは金属屑の粉砕機のロータの保護外装である。
【００４９】
本発明のさらなる主題は、材料粉砕機、好ましくは金属屑の粉砕機のロータ用の保護外装を製造するための、少なくとも１つの、本発明に係る保護ブロックの使用方法である。
【００５０】
当然のことながら、本発明は、様々な寸法を有する現行の粉砕機のロータのいずれにも適応され得るものである。したがって、ロータの寸法に従って、保護ブロックの数は、変化させてもよく、該ブロックは、所望の寸法のいずれも採用可能である。当業者であれば、困難を伴うことなく、該ブロックの個数と寸法を、用いられるロータの寸法に適応させることができる。
【００５１】
また、本発明の主題は、本発明に係る保護ブロックを少なくとも１つ有する、ロータの保護外装を備える、材料粉砕機、特に、金属屑の粉砕機である。
【００５２】
特に、本発明は、内部主ケースと、少なくとも１つのロータと、該ロータ上のハンマーと、少なくとも１つのアンビルと、閉鎖され、且つ耐性を有する外装プレートによって覆われたケースのベース部と、供給開口と、ロータの上方に設けられた放出グリッドと、放出扉とを備え、上記ロータは、上述したような保護ブロックを有する、材料粉砕機、特に、金属屑の粉砕機に関するものである。
【００５３】
有利には、本発明に係る材料粉砕機は、欧州特許出願ＥＰ２０１２９２４号に記載されているような粉砕機である。
【図面の簡単な説明】
【００５４】
【図１】金属屑の粉砕機の断面図を示す。
【図２】本発明に係る保護ブロックの第１の実施形態の３次元図を示し、２ａは、ブロックを形成する２つの部材の分解図を示す。
【図３】本発明に係る保護ブロックの第２の実施形態の３次元図を示し、３ａは、ブロックを形成する２つの部材の分解図を示す。
【図４】本発明に係る保護ブロックの第３の実施形態の輪郭図を示す。
【発明を実施するための形態】
【００５５】
本発明の目的、特徴、および利点は、添付の図面を参照した、非限定的説明として記載された以下の説明から、より明確になるであろう。
【００５６】
図１は、従来の金属屑の粉砕機の断面図を示しており、この粉砕機においては、内部主ケース１、ロータ２、ハンマー３、アンビル４、耐性を有する外装プレート５によって覆われている、閉鎖されたケースのベース部、供給開口６、粉砕される材料７、ロータの上方に設けられたグリッド８、および放出扉９が示されている。
【００５７】
図２は、本発明の第１の実施形態に係る保護ブロックの３次元図を示し、図２ａには、保護ブロックの分解図を示し、図２ｂには、組み立てられた保護ブロックを示す。この図においては、保護ブロックは、符号２．１として示されており、それとともに、外装プレートは２．２、第１の固定手段を形成する部材は２．３、第２の固定手段は２．４として、それぞれ示されている。符号２．５は、孔２．６を貫通することによって外装プレートと第２の固定手段とを着脱可能に固定するシャフト（またはピン）を示す。シャフトまたはピン（図示せず）を用いて粉砕機のロータに保護ブロックを固定することを可能とする孔２．７も、図示されている。この実施形態においては、第１の固定手段２．３の部材は、溶接２．８によって、外装プレート２．２に着脱不能に固定される。最後に、第２の固定手段の中心と、その端部との間の厚みの相違が図示されている。
【００５８】
図３は、本発明の第２の実施形態に係る保護ブロックの３次元図を示し、図３ａには、保護ブロックの分解図を示し、図３ｂには、組み立てられた保護ブロックを示す。この図においては、保護ブロックは、符号３．１として示されており、それとともに、外装プレートは３．２、第１の固定手段を形成する部材は３．３、第２の固定手段を形成する部材は３．４として、それぞれ示されている。孔３．６を貫通することによって外装プレートと第２の固定手段とを着脱可能に固定するシャフト（またはピン）は、符号３．５として示されている。シャフトまたはピン（図示せず）を用いて粉砕機のロータに保護ブロックを固定することを可能とする孔３．７も、図示されている。この実施形態においては、第１の固定手段３．３の部材は、溶接３．８によって、外装プレート３．２に着脱不能に固定される。最後に、第２の固定手段を形成する２つの部材３．４の間のスペーサ３．９の存在が、示されている。
【００５９】
図４は、本発明の第３の実施形態に係る保護ブロックの側面図を示し、保護ブロックは４．１、外装プレートは４．２、第２の固定手段は４．４として示されている。この構成においては、外装プレートは、その端部の各々においてホゾ４．１０を有し、また、第２の固定手段は、上記ホゾと同じ高さにおいて、上記ホゾの寸法を有するホゾ穴４．１１を有する。最後に、シャフトまたはピン（図示せず）を用いて粉砕機のロータに保護ブロックを固定することを可能とする孔４．７の存在も示されている。
【図１】
2013518709.tif 000003
【図２ａ】
2013518709.tif 000004
【図２ｂ】
2013518709.tif 000005
【図３ａ】
2013518709.tif 000006
【図３ｂ】
2013518709.tif 000007
【図４】
2013518709.tif 000008
【国際調査報告】
2013518709.tif 000009
2013518709.tif 000010
2013518709.tif 000011
2013518709.tif 000012
2013518709.tif 000013
2013518709.tif 000014